(57)【要約】【課題】放電ランプが破裂した場合に破片が外部へ飛散することを防ぐ防爆体のみを簡易に交換することができる光源装置を提供する。【解決手段】放電ランプを囲い、開口部が覆われている回転楕円面状の凹面鏡２１内に、空気を送り入れるための通気孔４１ａと、通気孔４１ａを覆うことにより、放電ランプが破裂した場合に破片が通気孔４１ａから外部へ飛散することを防ぐ防爆体８とを備える光源装置に、通気孔４１ａを覆うように防爆体８を挿脱自在に装着する装着部４２を備える。【選択図】図１
2007149541.tif 000002
【特許請求の範囲】
【請求項１】
透光部を有する覆体で開口が覆われており、放電ランプを囲っている凹面鏡内に、空気を送り入れるための通気孔と、該通気孔を覆うことにより、前記放電ランプが破裂した場合に破片が前記通気孔から外部へ飛散することを防ぐと共に空気を通流させる防爆体とを備える光源装置において、
前記通気孔を覆うように前記防爆体を着脱自在に装着する装着部を備える
ことを特徴とする光源装置。
【請求項２】
前記防爆体は矩形の網部分を備え、
前記装着部は、
前記網部分の略平行な両側辺を、該側辺に沿う方向へ移動自在に支持する支持部を備える
ことを特徴とする請求項１に記載の光源装置。
【請求項３】
前記防爆体は、
前記網部分の他の一辺側で屈曲しており、前記防爆体を前記装着部に固定するためのねじが挿通される挿通孔を形成した被固定網部分を備える
ことを特徴とする請求項２に記載の光源装置。
【請求項４】
前記防爆体は、
網部分と、
該網部分を囲む矩形の枠体と
を備え、
前記装着部は、
前記枠体の略平行な両側辺を、該側辺に沿う方向へ移動自在に支持する支持部を備える
ことを特徴とする請求項１に記載の光源装置。
【請求項５】
前記防爆体は、
前記装着部に装着された場合、該装着部に係止する係止部を備える
ことを特徴とする請求項１乃至請求項４のいずれか一つに記載の光源装置。
【請求項６】
前記通気孔及び前記防爆体は複数であり、
各防爆体を装着する複数の前記装着部を備える
ことを特徴とする請求項１乃至請求項５のいずれか一つに記載の光源装置。
【請求項７】
前記凹面鏡内を通気した空気の温度を検出する温度検出手段と、
該温度検出手段が検出した温度及び所定温度を比較することで、検出した温度が所定温度以上であるか否かを判定する判定手段と、
該判定手段が所定温度以上であると判定した場合、発光する発光部と
を備えることを特徴とする請求項１乃至請求項６のいずれか一つに記載の光源装置。
【請求項８】
請求項１乃至請求項７のいずれか一つに記載の光源装置を着脱自在に収容する収容体と、
該収容体に収容された前記光源装置からの光を光変調する光変調部と
を備え、
前記装着部は、
前記収容体が前記光源装置を収容した場合、一部が前記収容体の外部に臨むように配設されている
ことを特徴とするプロジェクタ。
【発明の詳細な説明】
【技術分野】
【０００１】
本発明は、放電ランプを囲い、開口が覆われている凹面鏡内に空気を送り入れるための通気孔、及び該通気孔を覆う防爆体を備える光源装置、並びに該光源装置を着脱自在に収容したプロジェクタに関する。
【背景技術】
【０００２】
スクリーンに画像を大画面で表示することができ、プレゼンテーション、映画鑑賞、又は娯楽等の用途に使用されるプロジェクタは、光源装置を着脱自在に収容している。
【０００３】
図１３は、従来の光源装置を示す略示斜視図である。
光源装置は、超高圧水銀ランプ、メタルハライドランプ等の放電ランプ、及び該放電ランプを囲い、放電ランプからの白色光を所定方向へ反射する凹面鏡２１を備えている。凹面鏡２１の開口は、透光性材料からなる防爆ガラスで覆われている。
防爆ガラスは、可視領域の光のみを透過させると共に、放電ランプが破裂した場合に破片が光源装置の外部へ飛散することを防ぐ。
また、凹面鏡２１の開口側には、通気孔２４１ａが形成されており、プロジェクタに設けられたファンが、空気を通気孔２４１ａから凹面鏡２１内に送り入れ、放電ランプを空冷するように構成している（例えば、特許文献１）。
【０００４】
一方、放電ランプが破裂した場合に破片が通気孔２４１ａから光源装置の外部へ飛散することを防ぐために、金属メッシュからなり、通気孔２４１ａを覆う防爆体２０８を備えた光源装置が提案されている（例えば、特許文献２又は特許文献３）。
【０００５】
このように構成された光源装置においては、放電ランプの寿命が尽きた場合、新品の光源装置に交換することで、放電ランプの光軸調整を行うことなく、簡易に放電ランプを交換することができる。
また、特許文献２又は特許文献３においては、放電ランプが破裂した場合に破片が外部へ飛散することを防ぐことができる。
【特許文献１】特開２００１−１８３７４５号公報
【特許文献２】特開平１０−２５４０６１号公報
【特許文献３】特開２００５−１０７４６４号公報
【発明の開示】
【発明が解決しようとする課題】
【０００６】
しかしながら、劣悪な環境化でプロジェクタを使用した場合、例えば業務用としてプロジェクタを天井から吊下げ、埃及びタバコのヤニ等が多い中で長時間連続使用した場合、防爆体２０８が埃又はヤニで目詰まりする虞があった。
防爆体２０８が目詰まりした場合、放電ランプが設計通りに冷却されず、放電ランプの温度が過剰に上昇し、放電ランプの短寿命化、破裂を招く虞があった。
上述の問題を解決するためには、防爆体２０８を簡易に交換することができれば良いが、特許文献１乃至特許文献３においては、防爆体２０８を交換することができない。
【０００７】
本発明は、斯かる事情に鑑みてなされたものであり、防爆体を着脱自在に装着する装着部を備えることにより、防爆体のみを簡易に交換することができる光源装置を提供することを目的とする。
【０００８】
本発明の他の目的は、防爆体を構成する矩形の網部分の両側辺を、該側辺に沿う方向へ移動自在に支持する支持部を備えることにより、防爆体を挿脱可能に装着することができる光源装置を提供することにある。
【０００９】
本発明の他の目的は、矩形の網部分の一部が屈曲していて、防爆体を装着部に固定するためのねじが挿通する挿通孔を形成した被固定網部分を防爆体に備えることにより、防爆体、特に防爆体を装着部に固定する手段を低コストで構成することができる光源装置を提供することにある。
【００１０】
本発明の他の目的は、網部分を囲む矩形の枠体、及び該枠体の両側辺を、該側辺に沿う方向へ移動自在に支持する支持部を備えることにより、防爆体を挿脱可能に装着することができ、また網部分を枠体で保護することができ、防爆体の取り扱いを容易にすることができる光源装置を提供することにある。
【００１１】
本発明の他の目的は、防爆体を装着部に係止する係止部を備えることにより、係止部を備えない場合に比べて、より簡易に防爆体を装着部に固定することができる光源装置を提供することにある。
【００１２】
本発明の他の目的は、複数の通気孔、防爆体、及び各防爆体を着脱自在に装着する装着部を備えることにより、単一の通気孔を備えた光源装置に比べて、放電ランプをより効果的に空冷することができ、また複数の防爆体を簡易に交換することができる光源装置を提供することにある。
【００１３】
本発明の他の目的は、光源装置の凹面鏡内を通気した空気の温度を検出し、検出した温度が所定温度以上である場合、発光する発光部を備えることにより、凹面鏡内を通気した空気の温度が上昇したこと、つまり防爆体が目詰まりしたことを、発光により報知することができる光源装置を提供することにある。
【００１４】
本発明の他の目的は、上述の光源装置を着脱自在に収容するプロジェクタの収容体を備え、装着部は、収容体が光源装置を収容した場合、装着部の一部が収容体の外部に臨むように構成することにより、プロジェクタに光源装置を取り付けたまま、光源装置の防爆体を交換することができるプロジェクタを提供することにある。
【課題を解決するための手段】
【００１５】
本発明に係る光源装置は、透光部を有する覆体で開口が覆われており、放電ランプを囲っている凹面鏡内に、空気を送り入れるための通気孔と、該通気孔を覆うことにより、前記放電ランプが破裂した場合に破片が前記通気孔から外部へ飛散することを防ぐと共に空気を通流させる防爆体とを備える光源装置において、前記通気孔を覆うように前記防爆体を着脱自在に装着する装着部を備えることを特徴とする。
【００１６】
本発明にあっては、装着部が通気孔を覆うように防爆体を装着する。装着部が防爆体を装着している場合、通気孔は防爆体によって覆われているため、放電ランプが破裂したときに破片が通気孔から凹面鏡の外部へ飛散しない。
また、装着部は、防爆体を着脱自在に装着しているため、光源装置を分解することなく、防爆体のみを交換することができる。
【００１７】
本発明に係る光源装置は、前記防爆体が矩形の網部分を備え、前記装着部は、前記網部分の略平行な両側辺を、該側辺に沿う方向へ移動自在に支持する支持部を備えることを特徴とする。
【００１８】
本発明にあっては、装着部は、防爆体が備える矩形の網部分を支持部で支持することにより、防爆体を装着する。支持部は、網部分の両側辺を、該側辺に沿う方向へ移動自在に支持する。つまり、装着部は、防爆体を挿脱可能に装着する。
【００１９】
本発明に係る光源装置は、前記防爆体が、前記網部分の他の一辺側で屈曲しており、前記防爆体を前記装着部に固定するためのねじが挿通される挿通孔を形成した被固定網部分を備えることを特徴とする。
【００２０】
本発明にあっては、防爆体は、矩形の網部分と、網部分の一辺側で屈曲した被固定網部分とから構成されている。被固定網部分は、ねじが挿通する挿通孔を形成している。従って、被固定網部分の挿通孔にねじを挿通させて、被固定網部分をねじ止めすることで、防爆体を装着部に固定することができる。
【００２１】
本発明に係る光源装置は、前記防爆体が、網部分と、該網部分を囲む矩形の枠体とを備え、前記装着部は、前記枠体の略平行な両側辺を、該側辺に沿う方向へ移動自在に支持する支持部を備えることを特徴とする。
【００２２】
本発明にあっては、防爆体の網部分は、矩形の枠体で囲まれている。装着部は、枠体を支持部で支持することにより、防爆体を装着する。支持部は、枠体の両側辺を、該側辺に沿う方向へ移動自在に支持する。つまり、装着部は、防爆体を挿脱可能に装着する。
【００２３】
本発明に係る光源装置は、前記防爆体は、前記装着部に装着された場合、該装着部に係止する係止部を備えることを特徴とする。
【００２４】
本発明にあっては、装着部に防爆体が装着された場合、防爆体が備える係止部が装着部に係止する。従って、防爆体を装着部に簡易に固定することができる。
【００２５】
本発明に係る光源装置は、前記通気孔及び前記防爆体は複数であり、各防爆体を装着する複数の前記装着部を備えることを特徴とする。
【００２６】
本発明にあっては、複数の通気孔によって、凹面鏡内を通気するため、放電ランプはより効果的に空冷される。また、複数の装着部が防爆体を着脱自在に装着する。
【００２７】
本発明に係る光源装置は、前記凹面鏡内を通気した空気の温度を検出する温度検出手段と、該温度検出手段が検出した温度及び所定温度を比較することで、検出した温度が所定温度以上であるか否かを判定する判定手段と、該判定手段が所定温度以上であると判定した場合、発光する発光部とを備えることを特徴とする。
【００２８】
本発明にあっては、防爆体及び通気孔を通じて凹面鏡内を通気する空気が放電ランプを空冷する。防爆体が目詰まりした場合、通気性が低下するため、凹面鏡内を通気した空気の温度が上昇する。従って、該空気の温度を温度検出手段が検出し、検出された温度が所定温度以上であるか否かを判定手段によって判定することによって、防爆体が目詰まりしているか否かを判定することができる。
そして発光部は、判定手段が所定温度以上であると判定した場合、発光する。従って、防爆体が目詰まりした場合、発光し、目詰まりしていない場合、発光しない。
【００２９】
本発明に係るプロジェクタは、上述のいずれか一つの光源装置を着脱自在に収容する収容体と、該収容体に収容された前記光源装置からの光を光変調する光変調部とを備え、前記装着部は、前記収容体が前記光源装置を収容した場合、一部が前記収容体の外部に臨むように配設されていることを特徴とする。
【００３０】
本発明にあっては、プロジェクタの収容体は、光源装置を着脱自在に収容する。そして、装着部は、光源装置が収容体に収容された場合、一部が収容体の外部に臨むように配設されているため、収容体に収容されたまま、防爆体を着脱自在に装着する。
【発明の効果】
【００３１】
本発明によれば、防爆体を簡易に交換することができる。特に埃、タバコのヤニなどが多く、防爆体が目詰まりし易い環境で使用する場合に光源装置の防爆体のみを交換することにより、光源装置の保守管理作業が容易になる。
また、防爆体を交換することができるため、放電ランプを効果的に空冷することができ、放電ランプの寿命短縮、及び破裂を防止することができる。
【００３２】
本発明によれば、光源装置に防爆体を挿脱可能に装着することができる。
【００３３】
本発明によれば、防爆体、及び防爆体を装着部に固定する手段を低コストで構成することができる。特に防爆体の網部分及び被固定網部分を金属メッシュのみで一体形成した場合、防爆体の製造工数が少なく、低コストで防爆体を構成することができる。
【００３４】
本発明によれば、防爆体を挿脱可能に装着し、また防爆体の網部分を枠体で保護することができる。従って、防爆体の取り扱いを容易にすることができる。
【００３５】
本発明によれば、係止部を備えない場合に比べて、より簡易に防爆体を装着部に固定することができる。
従って、光源装置の保守管理作業がより容易になる。
【００３６】
本発明によれば、単一の通気孔を備えた光源装置に比べて、放電ランプをより効果的に空冷することができ、また複数の防爆体を簡易に交換することができる。
更に、放電ランプの寿命短縮、及び破裂をより効果的に防止することができる。
【００３７】
本発明によれば、凹面鏡を通気した空気の温度が上昇したこと、つまり防爆体が目詰まりしたことを、発光部の発光により報知することができる。
従って、防爆体の交換し忘れ、交換時期の誤り等を防ぐことができる。
【００３８】
本発明によれば、プロジェクタに光源装置を取り付けたまま、光源装置の防爆体を交換することができる。
【発明を実施するための最良の形態】
【００３９】
以下、本発明をその実施の形態を示す図面に基づいて詳述する。
（実施の形態１）
図１は、本発明の実施の形態１に係る光源装置の略示分解斜視図、図２は、光源装置の略示斜視図、図３は、光源装置の略示側面図、図４は、図３のIV−IV線断面図、図５は、光源装置の底面図である。
実施の形態１に係る光源装置は、放電ランプが破裂した場合に破片が外部へ飛散することを防ぐ防爆体を挿脱可能に装着するように構成してある。
【００４０】
図中２０は、放電ランプ、例えば超高圧水銀ランプである。放電ランプ２０は、石英ガラス製の発光管を備えており、発光管は、発光空間を構成する中空楕円体状の発光部２０ａを有している。発光部２０ａには、放電により発光する水銀、放電始動を補助する希ガスが封入されており、発光部２０ａの長軸方向両側には、発光部２０ａの中心部で対向する一対の放電電極２０ｂ，２０ｂ夫々を、長手方向が前記長軸方向と一致するように封止する封止部２０ｃ，２０ｄが延設されている。封止部２０ｃ，２０ｄは円筒状であり、一対の放電電極２０ｂ，２０ｂは、夫々発光部２０ａの気密性を高めるために封止部２０ｃ，２０ｄ内に埋没されたモリブデンからなる金属箔２０ｅ，２０ｅを介して、封止部２０ｃ，２０ｄから長軸方向に突出したリード部２０ｆ，２０ｇに接続されている。
【００４１】
光源装置１は、アルミニウムからなり、放電ランプ２０からの光を反射し、光を所定位置に集光する回転楕円面状の凹面鏡２１、凹面鏡２１を支持するランプハウジング３、及び凹面鏡２１をランプハウジング３に押勢することで固定する金属製のランプ固定ばね７を備えている。
【００４２】
凹面鏡２１は、発光部２０ａに延設された一の封止部２０ｄを支持する支持孔２１ａを頂点部分に形成している。支持孔２１ａは、放電ランプ２０の発光中心が凹面鏡２１の焦点に位置するように、一の封止部２０ｄを支持している。他の封止部２０ｃから突出したリード部２０ｆは、凹面鏡２１の適宜箇所に形成された孔を挿通して、凹面鏡２１の外部へ引き回され、リード部２０ｆ及びリード部２０ｇは、電源端子２０ｈに接続されている。
また、凹面鏡２１は、開口部２１ｃの周縁に径方向外側に延設された鍔部２１ｂを備えている。
【００４３】
ランプハウジング３は、耐熱性のＰＰＳ（Ｐｏｌｙ  Ｐｈｅｎｙｌｅｎｅ  Ｓｕｌｆｉｄｅ）又はＬＣＰ（Ｌｉｑｕｉｄ  Ｃｒｙｓｔａｌ  Ｐｏｌｙｍｅｒ）等の樹脂製であり、略台形板状のハウジング基板３０と、凹面鏡２１の開口部２１ｃ周縁を囲繞する四角筒状のランプ囲繞部４とを一体形成している。
【００４４】
ランプ囲繞部４は、ハウジング基板３０に延設された略矩形の底板部４０を備え、底板部４０の両側辺には、略矩形の側壁部４１，４１が略垂直に形成されており、側壁部４１，４１の上端には、底板部４０に略平行な天板部４３が形成されている。ランプ囲繞部４を構成する底板部４０、側壁部４１，４１及び天板部４３は、内側に突出していて、凹面鏡２１の鍔部２１ｂに当接する当接部４０ａ，４１ｂ，４１ｂを一体形成している。ランプ囲繞部４の天板部４３には、ランプ固定ばね７の一部がねじ止めされていて、ランプ固定ばね７は凹面鏡２１を当接部４０ａ，４１ｂ，４１ｂ側へ押勢している。押勢された凹面鏡２１の鍔部２１ｂには、当接部４０ａ，４１ｂ，４１ｂが当接して、凹面鏡２１がランプハウジング３に固定されている。
【００４５】
また、ランプ囲繞部４には、ランプ囲繞部４の内側及び開口側を覆う金属製の覆体５が内嵌固定されている。覆体５は、放電ランプ２０で発生した熱からランプ囲繞部４を保護するためのものであり、覆体５は、ランプ囲繞部４を構成する各側壁部４１，４１を覆う略矩形の側壁覆部５１，５１、底板部４０を覆う底板覆部５０、ランプ囲繞部４の開口側を覆う開口覆部５２、及び天板部４３を覆う図示しない天板覆部を備えている。
ランプ囲繞部４の側壁部４１，４１及び側壁覆部５１，５１は、凹面鏡２１内に空気を送り入れるための略矩形の通気孔４１ａ，４１ａ及び覆部通気孔５１ａ，５１ａを有している。
【００４６】
開口覆部５２の中心部分には、放電ランプ２０からの光を透過させる略矩形の窓部５２ａが形成されている。開口覆部５２の裏側には、放電ランプ２０が破裂した場合に放電ランプ２０の破片が光源装置１の外部に飛散することを防ぐ矩形板状の防爆ガラス（透光部）６０を支持する鉤状の支持腕５２ｂ，５２ｃが２本凸設されている。
開口覆部５２の外面側には、板状の防爆ガラス固定ばね６１がねじ止めされている。防爆ガラス固定ばね６１は、中心部に窓部５２ａに倣う開口６１ａ及び防爆ガラス６０を支持腕５２ｂ，５２ｃに押勢することで固定する板片６１ｂ，６１ｃを有しており、防爆ガラス６０は、支持腕５２ｂ，５２ｃ及び板片６１ｂ，６１ｃとの間に挟まれ、固定されている。
【００４７】
光源装置１は、放電ランプ２０が破裂した場合に放電ランプ２０の破片が通気孔４１ａ，４１ａ及び覆部通気孔５１ａ，５１ａから外部へ飛散することを防ぐための防爆体８，８を備えている。
防爆体８，８は、断面が略Ｌ字状であり、図１に示すように側壁部４１，４１、特に通気孔４１ａ，４１ａを覆うように形成された金属メッシュからなる矩形の網部分８ａ，８ａと、網部分８ａ，８ａの一辺側で略垂直に屈曲しており、防爆体８，８をランプ囲繞部４の底板部４０にねじ止めするためのねじ９，９が挿通する挿通孔８ｃ，８ｃを形成した被固定網部分８ｂ，８ｂとを備えている。網部分８ａ，８ａの目の幅は、放電ランプ２０の破片を遮るために十分な寸法を有している。
【００４８】
側壁部４１，４１は、防爆体８，８をハウジング基板３０の底側から挿脱可能に装着する装着部４２，４２を外側に形成している。装着部４２，４２は、長手方向が底板部４０に対して略垂直な条体であり、網部分８ａ，８ａの両側辺を支持すると共に、防爆体８，８を前記側辺に沿う方向へ移動自在に案内する２本の案内支持部４２ａ，４２ａと、各案内支持部４２ａ，４２ａの天板部４３側の端部間を繋ぎ、装着された網部分８ａ，８ａの一辺が当接する部分４２ｂとを備えている。案内支持部４２ａ，４２ａの前記長手方向の長さは、網部分８ａ，８ａの前記側辺の長さに等しい。
【００４９】
底板部４０は、防爆体８，８の被固定網部分８ｂ，８ｂを固定するねじ９，９が螺合するねじ穴が形成されており、被固定網部分８ｂ，８ｂにねじ９，９が挿通して、ねじ穴に螺合した場合、防爆体８，８は通気孔４１ａ，４１ａを覆った状態で固定される。
【００５０】
図６は、光源装置１を収容した本発明の実施の形態１に係るプロジェクタの略示分解斜視図、図７は、プロジェクタの斜視図である。
【００５１】
プロジェクタは、図６に示すように、光源装置１を収容する略直方体の収容体１０を備えている。収容体１０の底部には、光源装置１を収容するための収容凹部１０ａが形成されている。収容凹部１０ａは、ハウジング基板３０に倣う形状を有しており、光源装置１は、ハウジング基板３０の底面が外側に臨むように収容凹部１０ａに収容され、ねじ止めされている。また、プロジェクタは、収容凹部１０ａに収容された光源装置１を覆う蓋部１１を備えている。
【００５２】
図８は、プロジェクタの構成を示す模式図である。
光源装置１が備える放電ランプ２０の白色光は、凹面鏡２１によって反射されてカラーホイール１２ａを透過し、ロッドインテグレータ１２ｃに入射する。
【００５３】
カラーホイール１２ａは、赤・緑・青の光を夫々透過させる扇状のカラーフィルタを周方向に配しており、カラーフィルタの回転通過域に放電ランプ２０の投光域が位置するように配置されている。
【００５４】
カラーホイール１２ａの中心部には、モータ駆動部１２ｉにより回転駆動されるモータ１２ｂの出力軸が接続されており、モータ駆動部１２ｉは、モータ１２ｂを等速回転させる。モータ１２ｂの回転は、マイクロコンピュータからなる制御部１２ｇによって制御される。
【００５５】
カラーホイール１２ａが等速回転している場合、白色光は赤色、緑色及び青色のカラーフィルタに順次的に入射し、白色光は時系列で赤・緑・青の光に色時分割される。色時分割された光は、略長方形のロッドインテグレータ１２ｃの入射口に入射し、入射した光は、ロッドインテグレータ１２ｃの内面で反射を繰り返して均一な光となり、出射口から照明レンズ群１２ｄに入射する。
【００５６】
照明レンズ群１２ｄは、コンデンサレンズ及びリレーレンズからなり、白色光をＤＭＤ１２ｅに入射させる。ＤＭＤ１２ｅは、画像データに係る画像の各ドットに対応付けられた複数の微小可動ミラーを備えている。ＤＭＤ駆動部１２ｈは、制御部１２ｇから与えられた画像データに基づいて、色時分割された赤・緑・青の光が、投射レンズ群１２ｆへ又は投射レンズ群１２ｆ外へ選択的に反射するように、各微小可動ミラーを選択的に±１０度傾ける。ＤＭＤ１２ｅに入射した光は、ＤＭＤ１２ｅの微小可動ミラーにより光変調され、光変調された変調光は、投射レンズ群１２ｆに入射する。
【００５７】
投射レンズ群１２ｆは、変調光、即ち画像を拡大表示する光はスクリーンに投射される。その結果、画像データに係る画像がスクリーンに色時分割表示される。
【００５８】
また、制御部１２ｇは、ファン駆動部１２ｋに制御信号を与えることによりファン１２ｊの回転を制御する。ファン１２ｊは、収容体１０に光源装置１が収容された場合、光源装置１の一方の通気孔４１ａ及び覆部通気孔５１ａに対向するように配設されている。ファン１２ｊは、回転により、光源装置１の一方の通気孔４１ａ及び覆部通気孔５１ａから凹面鏡２１内に空気を吹き入れ、他方の通気孔４１ａ及び覆部通気孔５１ａから、凹面鏡２１の外部へ空気を吹き出させる。空気が凹面鏡２１内を通気することで、放電ランプ２０で発生した熱が放熱される。
【００５９】
このように構成された光源装置１及びプロジェクタにあっては、プロジェクタに光源装置１を収容したまま、防爆体８，８を装着部４２，４２から抜き出すことで、簡易に交換することができる。
【００６０】
また、網部材で、防爆体８，８の網部分８ａ，８ａ及び被固定網部分８ｂ，８ｂを一体形成し、ねじ９，９で防爆体８，８を固定するように構成しているため、低コストで防爆体８，８を構成することができる。
【００６１】
更に、複数の通気孔４１ａ，４１ａ、各通気孔４１ａ，４１ａを覆う複数の防爆体８，８、及び各防爆体８，８を着脱自在に装着する装着部４２，４２を備えることにより、単一の通気孔４１ａ，４１ａを備えた光源装置１に比べて、放電ランプ２０をより効果的に空冷することができ、また複数の防爆体８，８を簡易に交換することができる。
【００６２】
更にまた、通気孔４１ａ，４１ａをランプハウジング３の側壁部４１，４１に形成することにより、放電ランプ２０が破裂した場合に、破片がランプハウジング３の底板部４０、又は天板部４３等から外部へ散らばることを防ぐことができる。
【００６３】
なお、実施の形態１にあっては、装着部が防爆体を挿脱可能に装着するように構成してあるが、防爆体を着脱できれば、この構成に限らず他の構成であっても良い。
【００６４】
また、防爆体を、断面略Ｌ字状に形成しているが、通気孔を覆うことができれば、他の構成であっても良い。例えば、矩形の網部分のみで防爆体を構成しても良い。
【００６５】
更に、ランプ囲繞部の両側壁部に通気孔を備えているが、単一の通気孔を備え、吹き入れられた空気が凹面鏡の頂点側に形成された排気孔から排気されるように構成しても良い。
【００６６】
更にまた、放電ランプの一例として、超高圧水銀ランプを説明したが、これに限らず、放電中に空冷が必要な放電ランプであれば、メタルハライドランプのような他の放電ランプであっても良い。
【００６７】
更にまた、回転楕円面状の凹面鏡を備えた光源装置を説明したが、これに限らず、例えば回転放物面状のような凹面鏡を備えるように構成しても良い。
【００６８】
更にまた、カラーホイールで白色光を色時分割し、ＤＭＤで光変調するように構成したプロジェクタを説明したが、光変調する構成はこれに限らず、例えば白色光をダイクロイックミラーで色分離し、色分離された光を液晶パネルで光変調するように構成しても良い。
【００６９】
（実施の形態２）
図９は、実施の形態２に係るプロジェクタが収容した光源装置１０１が備える防爆体１０８の略示斜視図、図１０は、防爆体１０８を装着した装着部１４２を示す一部破断側面図である。実施の形態２に係る光源装置１０１の防爆体１０８及び装着部１４２の構成のみが、実施の形態１に係る光源装置１０１の構成と異なるため、以下では主に上記相違点について説明する。
【００７０】
実施の形態２に係る防爆体１０８は、通気孔４１ａ，４１ａ及び覆部通気孔５１ａ，５１ａを覆う寸法を有する矩形の網部分１０８ａ、網部分１０８ａを囲む枠体１０８ｄ、及び枠体１０８ｄの一辺側で略垂直に屈曲しており、防爆体１０８をランプ囲繞部４の底板部４０に固定するためのねじ９，９が挿通する挿通孔１０８ｃを形成した被固定部１０８ｂを備えている。枠体１０８ｄの寸法は、実施の形態１に係る矩形網体と同寸法であり、枠体１０８ｄは、側壁部４１，４１に形成された装着部１４２の案内支持部１４２ａによって、底板部４０側から挿脱可能に支持されている。網部分１０８ａの目の幅は、放電ランプ２０の破片を遮るために十分な寸法を有している。
【００７１】
また、枠体１０８ｄの一側片の適宜箇所に凸状の係止部１０８ｅが形成されている。案内支持部１４２ａには、防爆体１０８が装着部１４２に装着された場合、図１０に示すように係止部１０８ｅが嵌合することで、係止する凹状の被係止部１４２ｃが形成されている。
【００７２】
図１１は、係止部１０８ｅが被係止部１４２ｃから脱離した状態における防爆体１０８及び装着部１４２を示す一部破断側面図である。図１１に示すように、防爆体１０８の枠体１０８ｄを底板部４０の底側へ引き出して、防爆体１０８を取り外すことができ、新品の防爆体１０８をランプハウジング３の底側から挿入して、係止部１０８ｅを被係止部１４２ｃに係止させることにより、防爆体１０８を装着部１４２に固定することができる。
【００７３】
実施の形態２に係るプロジェクタ及び光源装置１０１の他の構成、作用及び効果は、実施の形態１に係るプロジェクタ及び光源装置１の構成、作用及び効果と同様であるため、対応する箇所には同様の符号を付してその詳細な説明を省略する。
【００７４】
実施の形態２に係る光源装置１０１にあっては、防爆体１０８を、網部分１０８ａ、枠体１０８ｄ、及び被固定部１０８ｂによって構成することにより、プロジェクタの収容体１０が光源装置１０１を収容したまま、防爆体１０８を挿脱可能に装着することができる。
【００７５】
また網部分１０８ａを枠体１０８ｄで保護することで網部分１０８ａが拉げることを防ぎ、防爆体１０８の取り扱いを容易することができる。
【００７６】
更に、防爆体１０８を装着部１４２に係止する係止部１０８ｅを備えることにより、係止部１０８ｅを備えない場合に比べて、より簡易に防爆体１０８を装着部１４２に固定することができる。
【００７７】
なお、凸状の係止部を備えた防爆体を説明したが、凹状の係止部を備えた防爆体を備え、凹状の係止部が係止するように案内支持部に凸状の被係止部を備えても良い。
【００７８】
（実施の形態３）
図１２は、実施の形態３に係るプロジェクタが収容した光源装置が備える目詰まり検知回路を示す回路図である。
実施の形態３に係る目詰まり検知回路のみが、実施の形態１に係る光源装置の構成と異なるため、以下では主に上記相違点について説明する。
【００７９】
実施の形態３に係る光源装置は、直流電源１３、比較回路１４、発光素子１６、及び比較回路１４の出力に応じて発光素子１６をオン・オフするスイッチングトランジスタ１５等から構成された検知回路を備えており、光源装置の凹面鏡２１内を通気し、通気孔４１ａから吹き出す空気の温度に対応する電圧と、所定のしきい値電圧とを比較することで、目詰まりを検知するように構成してある。
【００８０】
プロジェクタから供給される電力によって、直流の電圧を出力する直流電源１３には、比較回路１４を構成するサーミスタ１４ａ及び電気抵抗Ｒ１が直列接続されており、サーミスタ１４ａ及び電気抵抗Ｒ１で分圧された電圧は、差動増幅器１４ｂの非反転入力端子に入力する。サーミスタ１４ａは、光源装置の通気孔４１ａから吹き出す空気の温度に応じて電気抵抗が変化する半導体素子である。また、直流電源１３には、所定の電気抵抗Ｒ２及び電気抵抗Ｒ３が直列接続されており、電気抵抗Ｒ２，Ｒ３で分圧されたしきい値電圧は、差動増幅器１４ｂの反転入力端子に入力する。
【００８１】
差動増幅器１４ｂの出力端子には、電気抵抗Ｒ４の一端が接続されており、電気抵抗Ｒ４の他端が作動増幅器の非反転入力端子に接続されている。電気抵抗Ｒ４は、サーミスタ１４ａ及び電気抵抗Ｒ１で分圧された電圧と、しきい値電圧とが略同一である場合に、差動増幅器１４ｂの出力が振動することを防ぐために、一定電圧範囲で差動増幅器１４ｂの出力が反転しないように、ヒステリシスをもたせるための素子である。
また、差動増幅器１４ｂの出力端子には、電気抵抗Ｒ５の一端が接続されており、電気抵抗Ｒ５の他端は、スイッチングトランジスタ１５のベース及び電気抵抗Ｒ６の一端に接続されている。電気抵抗Ｒ６の他端は、接地されている。
【００８２】
スイッチングトランジスタ１５のコレクタには、電気抵抗Ｒ７の一端が接続されており、電気抵抗Ｒ７の他端は、直流電源１３の陽極に接続されている。スイッチングトランジスタ１５のエミッタは、発光素子１６のアノードに接続されており、発光素子１６のカソードは接地されている。また、発光素子１６は、プロジェクタの収容体１０が光源装置を収容した場合、外部に臨むようにランプハウジング３に配設されている。
【００８３】
このように構成された検知回路の動作を説明する。
光源装置の通気孔４１ａから吹き出された空気の温度が所定温度未満であり、サーミスタ１４ａの電気抵抗が所定値より大きい場合、サーミスタ１４ａ及び電気抵抗Ｒ１で分圧された電圧は、しきい値電圧より低い。従って、差動増幅器１４ｂの出力によって、スイッチングトランジスタ１５がオフになり、発光素子１６は消灯する。つまり、防爆体８，８が目詰まりしておらず、放電ランプ２０が十分に空冷されている場合、発光素子１６は発光しない。
光源装置の通気孔４１ａから吹き出された空気の温度が所定温度より高く、サーミスタ１４ａの電気抵抗が所定値より小さい場合、サーミスタ１４ａ及び電気抵抗Ｒ１で分圧された電圧は、しきい値電圧より高い。従って、差動増幅器１４ｂの出力によって、スイッチングトランジスタ１５がオンになり、発光素子１６は発光する。つまり、防爆体８，８が目詰まりし、放電ランプ２０が十分に空冷されていない場合、発光素子１６が発光する。
【００８４】
実施の形態３に係るプロジェクタ及び光源装置の他の構成、作用及び効果は、実施の形態１に係るプロジェクタ及び光源装置の構成、作用及び効果と同様であるため、対応する箇所には同様の符号を付してその詳細な説明を省略する。
【００８５】
実施の形態３に係る光源装置にあっては、光源装置の通気孔４１ａから吹き出される空気の温度が上昇したこと、つまり防爆体８，８が目詰まりしたことを、発光素子１６の発光により報知することができる。
【００８６】
なお、実施の形態３にあっては、比較回路、スイッチングトランジスタ等を備えた回路によって、サーミスタの電気抵抗に応じて分圧された電圧を比較し、比較結果に応じて発光素子をオン・オフさせるように構成してあるが、光源装置にマイクロコンピュータからなる制御部を備え、制御部がサーミスタの温度に応じた電圧を検出し、検出した電圧と所定値とを比較し、比較結果に応じて発光素子をオン・オフさせるように構成しても良い。
【００８７】
また、プロジェクタが備える制御部が、サーミスタの温度に応じた電圧を検出し、検出した電圧と所定値とを比較し、比較結果に応じて発光素子をオン・オフさせるように構成しても良い。
【図面の簡単な説明】
【００８８】
【図１】本発明の実施の形態１に係る光源装置の略示分解斜視図である。
【図２】光源装置の略示斜視図である。
【図３】光源装置の略示側面図である。
【図４】図３のIV−IV線断面図である。
【図５】光源装置の底面図である。
【図６】光源装置を収容した本発明の実施の形態１に係るプロジェクタの略示分解斜視図である。
【図７】プロジェクタの斜視図である。
【図８】プロジェクタの構成を示す模式図である。
【図９】実施の形態２に係るプロジェクタが収容した光源装置が備える防爆体の略示斜視図である。
【図１０】防爆体を装着した装着部を示す一部破断側面図である。
【図１１】係止部が被係止部から脱離した状態における防爆体及び装着部を示す一部破断側面図である。
【図１２】実施の形態３に係るプロジェクタが収容した光源装置が備える目詰まり検知回路を示す回路図である。
【図１３】従来の光源装置を示す略示斜視図である。
【符号の説明】
【００８９】
１  光源装置
３  ランプハウジング
４  ランプ囲繞部
５  覆体
８，８  防爆体
８ａ，８ａ  網部分
８ｂ，８ｂ  被固定網部分
８ｃ，８ｃ  挿通孔
１０  収容体
１０ａ  収容凹部
１１  蓋部
１２ａ  カラーホイール
１２ｅ  ＤＭＤ
１２ｆ  投射レンズ群
１２ｇ  制御部
１２ｊ  ファン
１２ｋ  ファン駆動部
１３  直流電源
１４  比較回路
１４ａ  サーミスタ
１４ｂ  差動増幅器
１５  スイッチングトランジスタ
１６  発光素子
２０  放電ランプ
２１  凹面鏡
２１ｃ  開口部
４１ａ，４１ａ  通気孔
４２，４２  装着部
４２ａ，４２ａ  案内支持部
６０  防爆ガラス
１０８ｄ  枠体
１０８ｅ  係止部
【図１】
2007149541.tif 000003
【図２】
2007149541.tif 000004
【図３】
2007149541.tif 000005
【図４】
2007149541.tif 000006
【図５】
2007149541.tif 000007
【図６】
2007149541.tif 000008
【図７】
2007149541.tif 000009
【図８】
2007149541.tif 000010
【図９】
2007149541.tif 000011
【図１０】
2007149541.tif 000012
【図１１】
2007149541.tif 000013
【図１２】
2007149541.tif 000014
【図１３】
2007149541.tif 000015